(57)【要約】【課題】余剰紙幣収納手段に収納された余剰紙幣を、いわゆる死に金にせず、活用することができる紙幣入出金機を提供すること。【解決手段】紙幣入出金機１００は、筐体１と、筐体１内に紙幣を取り込む取込手段１５と、筐体１内で紙幣を搬送する搬送手段２０と、搬送手段２０で搬送される紙幣の少なくとも金種を識別する識別手段５５と、搬送手段２０で搬送された紙幣を金種別で収納する複数の金種別収納手段６０と、を備えている。紙幣入出金機１００は、ある金種の金種別収納手段６０に収納されている紙幣の量が所定量に達しているときに、当該金種別収納手段６０に収納されるべき紙幣を一時的に収納する余剰紙幣収納手段７０も備えている。余剰紙幣収納手段７０は、収納された紙幣を搬送手段２０に繰り出すことができる。【選択図】図２
2014010489.tif 000002
【特許請求の範囲】
【請求項１】
筐体と、
前記筐体内に紙幣を取り込む取込手段と、
前記筐体内で紙幣を搬送する搬送手段と、
前記搬送手段で搬送される紙幣の少なくとも金種を識別する識別手段と、
前記搬送手段で搬送された紙幣を金種別で収納する複数の金種別収納手段と、
ある金種の金種別収納手段に収納されている紙幣の量が所定量に達しているときに、当該金種別収納手段に収納されるべき紙幣を一時的に収納する余剰紙幣収納手段と、を備え、
前記余剰紙幣収納手段は、収納された紙幣を前記搬送手段に繰り出すことができることを特徴とする紙幣入出金機。
【請求項２】
前記制御手段は、前記余剰紙幣収納手段から繰り出された紙幣のうち少なくとも一部を対応する金種別収納手段に収納させることを特徴とする請求項１に記載の紙幣入出金機。
【請求項３】
前記余剰紙幣収納手段から繰り出された紙幣を一時的に収納する一時保留手段をさらに備え、
前記制御手段は、ある金種別収納手段内に収納されている紙幣の量が補充必要閾値以下になっていると判断したときに、前記余剰紙幣収納手段から紙幣を繰り出させて当該紙幣を前記搬送手段で搬送させ、当該紙幣の金種を前記識別手段で識別し、当該紙幣の金種が補充必要閾値以下と判断された紙幣の金種である場合には当該紙幣を対応する金種別収納手段に収納させ、当該紙幣の金種が補充必要閾値以下と判断された金種でない場合には当該紙幣を前記一時保留手段に収納させることを特徴とする請求項１又は２のいずれかに記載の紙幣入出金機。
【請求項４】
前記余剰紙幣収納手段から繰り出された紙幣を一時的に収納する一時保留手段をさらに備え、
前記制御手段は、回収指令を受けたときに、前記余剰紙幣収納手段から紙幣を繰り出させて当該紙幣を前記搬送手段で搬送させ、当該紙幣の金種を前記識別手段で識別し、前記余剰紙幣収納手段から繰り出された紙幣のうち回収予定分の紙幣を回収位置に収納させ、残りの紙幣を前記一時保留手段に収納させることを特徴とする請求項１乃至３のいずれか１項に記載の紙幣入出金機。
【請求項５】
前記制御手段は、回収指令を受けたときに、前記余剰紙幣収納手段から紙幣を繰り出させて当該紙幣を前記搬送手段で搬送させ、当該紙幣の金種を前記識別手段で識別し、前記余剰紙幣収納手段から繰り出された紙幣のうち回収予定分の紙幣を回収位置に収納させ、残りの紙幣の各々を対応する金種別収納手段に収納させることを特徴とする請求項１乃至３のいずれか１項に記載の紙幣入出金機。
【請求項６】
前記金種別収納手段から繰り出された紙幣を出金する出金口と、
前記余剰紙幣収納手段から繰り出された紙幣を一時的に収納する一時保留手段と、をさらに備え、
前記制御手段は、出金指令を受けたときに、前記余剰紙幣収納手段から紙幣を繰り出させて当該紙幣を前記搬送手段で搬送させ、当該紙幣の金種を前記識別手段で識別し、当該紙幣の金種が出金に必要な金種である場合には当該紙幣を前記出金口から出金させ、当該紙幣の金種が出金に不要な金種である場合には当該紙幣を前記一時保留手段に収納させることを特徴とする請求項１乃至５のいずれか１項に記載の紙幣入出金機。
【請求項７】
前記金種別収納手段から繰り出された紙幣を出金する出金口をさらに備え、
前記制御手段は、出金指令を受けたときに、前記余剰紙幣収納手段から紙幣を繰り出させて当該紙幣を前記搬送手段で搬送させ、当該紙幣の金種を前記識別手段で識別し、当該紙幣の金種が出金に必要な金種である場合には当該紙幣を前記出金口から出金させ、当該紙幣の金種が出金に不要な金種である場合には当該紙幣を対応する金種別収納手段に収納させることを特徴とする請求項１乃至５のいずれか１項に記載の紙幣入出金機。
【請求項８】
前記制御手段は、前記一時保留手段に収納された紙幣を前記一時保留手段から繰り出させて当該紙幣を前記搬送手段で搬送させ、当該紙幣の金種を前記識別手段で識別し、識別された金種に基づいて当該紙幣を対応する金種別収納手段に収納させることを特徴とする請求項４又は６のいずれかに記載の紙幣入出金機。
【請求項９】
前記一時保留手段に収納された紙幣の金種及び順番を記憶する記憶手段をさらに備え、
前記制御手段は、前記一時保留手段に収納された紙幣を前記一時保留手段から繰り出させて当該紙幣を前記搬送手段で搬送させ、前記記憶手段で記憶された金種及び順番に基づいて当該紙幣を対応する金種別収納手段に収納させることを特徴とする請求項４又は６のいずれかに記載の紙幣入出金機。
【請求項１０】
前記識別手段は、紙幣の枚数も識別することができ、
前記制御手段は、前記金種別収納手段から紙幣を繰り出させて当該紙幣を前記搬送手段で搬送させ、当該紙幣の金種及び枚数を前記識別手段で識別し、かつ、前記余剰紙幣収納手段から紙幣を繰り出させて当該紙幣を前記搬送手段で搬送させ、当該紙幣の金種及び枚数を前記識別手段で識別することを特徴とする請求項１乃至９のいずれか１項に記載の紙幣入出金機。
【発明の詳細な説明】
【技術分野】
【０００１】
本発明は、紙幣の入金処理及び出金処理を行う紙幣入出金機に関する。
【背景技術】
【０００２】
従来から、紙幣の入金処理及び出金処理を行う紙幣入出金機は知られている。従来の紙幣入出金機では、ある金種の金種別収納手段に収納されている紙幣の枚数が所定枚数以上となっているときに（すなわちフル状態又はニヤフル状態であるときに）当該金種の紙幣が入金されると、当該紙幣は余剰紙幣と判断され、余剰紙幣収納手段に収納されていた（例えば特許文献１参照）。
【先行技術文献】
【特許文献】
【０００３】
【特許文献１】特開２０１０−２６２５６８号公報
【発明の概要】
【発明が解決しようとする課題】
【０００４】
このような従来の紙幣入出金機における余剰紙幣収納手段は、紙幣を収納することのみができ、紙幣を繰り出すことができなかった。このため、余剰紙幣収納手段に収納された余剰紙幣を、金種別収納手段への補充紙幣等として用いることができず、活用できない紙幣（いわゆる死に金）が生じていた。
【０００５】
以上のような点に鑑み、本発明は、余剰紙幣収納手段に収納された余剰紙幣を、いわゆる死に金にせず、活用することができる紙幣入出金機を提供する。
【課題を解決するための手段】
【０００６】
本発明の紙幣入出金機は、
筐体と、
前記筐体内に紙幣を取り込む取込手段と、
前記筐体内で紙幣を搬送する搬送手段と、
前記搬送手段で搬送される紙幣の少なくとも金種を識別する識別手段と、
前記搬送手段で搬送された紙幣を金種別で収納する複数の金種別収納手段と、
ある金種の金種別収納手段に収納されている紙幣の量が所定量に達しているときに、当該金種別収納手段に収納されるべき紙幣を一時的に収納する余剰紙幣収納手段と、を備え、
前記余剰紙幣収納手段が、収納された紙幣を前記搬送手段に繰り出すことができるようになっている。
【０００７】
本発明の紙幣入出金機において、
前記制御手段は、前記余剰紙幣収納手段から繰り出された紙幣のうち少なくとも一部を対応する金種別収納手段に収納させてもよい。
【０００８】
本発明の紙幣入出金機は、
前記余剰紙幣収納手段から繰り出された紙幣を一時的に収納する一時保留手段をさらに備え、
前記制御手段が、ある金種別収納手段内に収納されている紙幣の量が補充必要閾値以下になっていると判断したときに、前記余剰紙幣収納手段から紙幣を繰り出させて当該紙幣を前記搬送手段で搬送させ、当該紙幣の金種を前記識別手段で識別し、当該紙幣の金種が補充必要閾値以下と判断された紙幣の金種である場合には当該紙幣を対応する金種別収納手段に収納させ、当該紙幣の金種が補充必要閾値以下と判断された金種でない場合には当該紙幣を前記一時保留手段に収納させてもよい。
【０００９】
本発明の紙幣入出金機は、
前記余剰紙幣収納手段から繰り出された紙幣を一時的に収納する一時保留手段をさらに備え、
前記制御手段が、回収指令を受けたときに、前記余剰紙幣収納手段から紙幣を繰り出させて当該紙幣を前記搬送手段で搬送させ、当該紙幣の金種を前記識別手段で識別し、前記余剰紙幣収納手段から繰り出された紙幣のうち回収予定分の紙幣を回収位置に収納させ、残りの紙幣を前記一時保留手段に収納させてもよい。
【００１０】
本発明の紙幣入出金機において、
前記制御手段は、回収指令を受けたときに、前記余剰紙幣収納手段から紙幣を繰り出させて当該紙幣を前記搬送手段で搬送させ、当該紙幣の金種を前記識別手段で識別し、前記余剰紙幣収納手段から繰り出された紙幣のうち回収予定分の紙幣を回収位置に収納させ、残りの紙幣の各々を対応する金種別収納手段に収納させてもよい。
【００１１】
本発明の紙幣入出金機は、
前記金種別収納手段から繰り出された紙幣を出金する出金口と、
前記余剰紙幣収納手段から繰り出された紙幣を一時的に収納する一時保留手段と、をさらに備え、
前記制御手段が、出金指令を受けたときに、前記余剰紙幣収納手段から紙幣を繰り出させて当該紙幣を前記搬送手段で搬送させ、当該紙幣の金種を前記識別手段で識別し、当該紙幣の金種が出金に必要な金種である場合には当該紙幣を前記出金口から出金させ、当該紙幣の金種が出金に不要な金種である場合には当該紙幣を前記一時保留手段に収納させてもよい。
【００１２】
本発明の紙幣入出金機は、
前記金種別収納手段から繰り出された紙幣を出金する出金口をさらに備え、
前記制御手段が、出金指令を受けたときに、前記余剰紙幣収納手段から紙幣を繰り出させて当該紙幣を前記搬送手段で搬送させ、当該紙幣の金種を前記識別手段で識別し、当該紙幣の金種が出金に必要な金種である場合には当該紙幣を前記出金口から出金させ、当該紙幣の金種が出金に不要な金種である場合には当該紙幣を対応する金種別収納手段に収納させてもよい。
【００１３】
本発明の紙幣入出金機において、
前記制御手段は、前記一時保留手段に収納された紙幣を前記一時保留手段から繰り出させて当該紙幣を前記搬送手段で搬送させ、当該紙幣の金種を前記識別手段で識別し、識別された金種に基づいて当該紙幣を対応する金種別収納手段に収納させてもよい。
【００１４】
本発明の紙幣入出金機は、
前記一時保留手段に収納された紙幣の金種及び順番を記憶する記憶手段をさらに備え、
前記制御手段が、前記一時保留手段に収納された紙幣を前記一時保留手段から繰り出させて当該紙幣を前記搬送手段で搬送させ、前記記憶手段で記憶された金種及び順番に基づいて当該紙幣を対応する金種別収納手段に収納させてもよい。
【００１５】
本発明の紙幣入出金機において、
前記識別手段は、紙幣の枚数も識別することができ、
前記制御手段は、前記金種別収納手段から紙幣を繰り出させて当該紙幣を前記搬送手段で搬送させ、当該紙幣の金種及び枚数を前記識別手段で識別し、かつ、前記余剰紙幣収納手段から紙幣を繰り出させて当該紙幣を前記搬送手段で搬送させ、当該紙幣の金種及び枚数を前記識別手段で識別してもよい。
【発明の効果】
【００１６】
本発明によれば、ある金種の金種別収納手段に収納されている紙幣の量が所定量に達しているときに、当該金種別収納手段に収納されるべき紙幣を余剰紙幣収納手段に収納することができる。そして、当該余剰紙幣収納手段は、収納された紙幣を搬送手段に繰り出すことができるようになっている。このため、余剰紙幣収納手段に収納された余剰紙幣を、いわゆる死に金にせず、活用することができる。
【図面の簡単な説明】
【００１７】
【図１】図１は、本発明の実施の形態における売上入出金装置の構成を示した概略図である。
【図２】図２は、本発明の実施の形態による紙幣入出金機の内部構成を示した概略図である。
【図３】図３は、本発明の実施の形態による紙幣入出金機の機能ブロック図である。
【図４】図４は、本発明の実施の形態による紙幣入出金機において、金種別収納手段から繰り出された紙幣が余剰紙幣収納手段に収納される態様を示した概略図である。
【図５】図５は、本発明の実施の形態による紙幣入出金機において、余剰紙幣収納手段から繰り出された紙幣が金種別収納手段に収納される態様を示した概略図である。
【図６】図６は、本発明の実施の形態による紙幣入出金機において、余剰紙幣収納手段から繰り出された紙幣が一時保留手段及び金種別収納手段に収納される態様を示した概略図である。
【図７】図７は、本発明の実施の形態による紙幣入出金機において、余剰紙幣収納手段から繰り出された紙幣が回収カセット及び一時保留手段に収納される態様を示した概略図である。
【図８】図８は、本発明の実施の形態による紙幣入出金機において、余剰紙幣収納手段から繰り出された紙幣が回収カセット及び金種別収納手段に収納される態様を示した概略図である。
【図９】図９は、本発明の実施の形態による紙幣入出金機において、余剰紙幣収納手段から繰り出された紙幣が出金口及び一時保留手段に収納される態様を示した概略図である。
【図１０】図１０は、本発明の実施の形態による紙幣入出金機において、余剰紙幣収納手段から繰り出された紙幣が出金口及び金種別収納手段に収納される態様を示した概略図である。
【図１１】図１１は、本発明の実施の形態による紙幣入出金機において、一時保留手段から繰り出された紙幣が金種別収納手段に収納される一つの態様を示した概略図である。
【図１２】図１２は、本発明の実施の形態による紙幣入出金機において、一時保留手段から繰り出された紙幣が金種別収納手段に収納される別の態様を示した概略図である。
【図１３】図１３は、本発明の実施の形態による紙幣入出金機において精査処理を行う際の一態様を示した図であり、図１３（ａ）は金種別収納手段及び余剰紙幣収納手段から紙幣が繰り出されて一時保留手段に収納される態様を示した概略図であり、図１３（ｂ）は一時保留手段から紙幣が繰り出されて金種別収納手段及び余剰紙幣収納手段に収納される態様を示した概略図である。
【図１４】図１４は、本発明の実施の形態におけるカセット解錠機の斜視図である。
【図１５】図１５は、本発明の実施の形態における回収カセットの斜視図である。
【図１６】図１６は、本発明の実施の形態において、カセット解錠機で回収カセットのロック部のロックを解錠する態様を説明するための図である。
【図１７】図１７は、本発明の実施の形態において、カセット解錠機で回収カセットのロック部のロックを解錠する際のフローを示した図である。
【発明を実施するための形態】
【００１８】
実施の形態
《構成》
以下、本発明に係る紙幣入出金機の実施の形態について、図面を参照して説明する。ここで、図１乃至図１７は本発明の実施の形態を説明するための図である。
【００１９】
図１に示すように、売上入出金装置（貨幣入出金装置）は、紙幣の入出金の処理を行う紙幣入出金機１００と、硬貨の入出金の処理を行う硬貨入出金機２００と、紙幣入出金機１００に着脱自在の回収カセット９５（後述する）を取り付けて回収カセット９５のロック部（図示せず）のロックを解錠するカセット解錠機３００と、オペレータが操作信号を入力したり所定の情報を表示したりする操作端末４００と、を備えている。この操作端末４００には、管理装置５００が接続されている。なお、これら紙幣入出金機１００、硬貨入出金機２００、カセット解錠機３００、操作端末４００及び管理装置５００はバックヤードに設けられている。
【００２０】
管理装置５００及び操作端末４００には、売り場に設けられたＰＯＳレジスタ６００と釣銭機６５０及びドロア６６０が接続されている。本実施の形態では、ＰＯＳレジスタ６００を介して、釣銭機６５０及びドロア６６０の各々が管理装置５００及び操作端末４００の各々に接続されている態様を用いて説明しているが、当然、このような態様に限られることはない。なお、本実施の形態の操作端末４００はＰＯＳレジスタ６００のレジカードを読み取ることができるようになっている。
【００２１】
以下では、紙幣入出金機１００の構成及び作用・効果を中心にして説明する。
【００２２】
図２に示すように、本実施の形態の紙幣入出金機１００は、筐体１と、紙幣を筐体１内に入金する入金部１０と、筐体１内で紙幣を搬送する搬送手段２０と、搬送手段２０で搬送される紙幣の金種及び枚数を識別する識別手段５５と、搬送手段２０で搬送された紙幣を金種別で収納する複数の金種別収納手段６０と、紙幣を出金する出金部８０と、を備えている。
【００２３】
入金部１０は、紙幣を載置するための入金口１１と、入金口１１に載置された紙幣を筐体１内に取り込む取込手段１５と、を有している。また、出金部８０は、紙幣を取り出すための出金口８１を有している。
【００２４】
搬送手段２０には、紙幣を分岐させる複数の分岐手段２４が設けられている。また、搬送手段２０は、環状の周回搬送手段２１と、周回搬送手段２１に接続された接続搬送手段２２と、を有している。
【００２５】
本実施の形態の紙幣入出金機１００は、ある金種の金種別収納手段６０に収納されている紙幣の量が所定量に達しているときに、より具体的には、ある金種の金種別収納手段６０に収納されている紙幣の量がフル又はニヤフルに達しているときに、当該金種別収納手段６０に収納されるべき紙幣を一時的に収納する余剰紙幣収納手段７０も備えている（図４参照）。余剰紙幣収納手段７０は、繰り出し手段７５を有しており、当該繰り出し手段７５によって、収納された紙幣を搬送手段２０に繰り出すことができる。なお、図４において、「太線」で示した箇所で紙幣が搬送されている。本願では、他の図面でも、紙幣が搬送されている箇所を「太線」で示して説明する。
【００２６】
ところで、金種別収納手段６０に収納されている紙幣の量を検出するために、例えば、金種別収納手段６０に収納される紙幣の枚数を識別手段５５で計数してもよいし、金種別収納手段６０内に収納されている紙幣の量を光学センサで読み取ってもよい。
【００２７】
図２に示すように、紙幣入出金機１００は、さらに、金種別収納手段６０、余剰紙幣収納手段７０等から繰り出された紙幣を一時的に収納する一時保留手段９０と、出金される紙幣でリジェクトされたものを収納する出金リジェクト手段８５と、筐体１に脱着自在の回収カセット９５も備えている。
【００２８】
本実施の形態の紙幣入出金機１００は、紙幣入出金機１００を制御するための制御手段５０と、様々な情報を記憶する記憶する記憶手段５６（図３参照）も備えている。記憶手段５６は、一例として、一時保留手段９０に収納された紙幣の金種及び順番を記憶することができる。
【００２９】
図３に示すように、本実施の形態の制御手段５０は、入金部１０、搬送手段２０、識別手段５５、記憶手段５６、出金部８０、金種別収納手段６０、余剰紙幣収納手段７０、一時保留手段９０及び回収カセット９５に接続されており、これらから情報を受け取ったりこれらに動作指令を送って制御したりするようになっている。また、制御手段５０は、筐体１に設けられた操作手段２、及び、紙幣入出金機１００の上位装置２００にも接続されており、これらから入力された操作指令に基づいて、上述した部材を制御する。
【００３０】
なお、制御手段５０は、紙幣入出金機１００を制御するものであればどのような態様でもよい。制御手段５０は、当然、物理的に一つである必要はなく、複数の制御部材（例えば半導体集積回路等）からなってもよい。制御手段５０が複数の制御部材からなる場合には、これら制御部材は必ずしも１箇所に設けられている必要はなく、制御部材は別々の場所に設けられていてもよい。
【００３１】
本実施の形態の制御手段５０による制御態様について、以下説明する。なお、以下に示す態様は、あくまでも一例であり、以下に示す制御態様の各々を制御手段５０が必ず行う必要はなく、制御手段５０は、これらの制御態様のいずれか１つを行ってもよいし、これらの制御態様を任意に組み合わせたものを行ってもよい。
【００３２】
本実施の形態の制御手段５０は、一つの態様として、余剰紙幣収納手段７０から繰り出される紙幣のうち少なくとも一部を対応する金種別収納手段６０に収納させる（図５参照）。
【００３３】
本実施の形態の制御手段５０は、一つの態様として、ある金種別収納手段６０内に収納されている紙幣の量が補充の必要な補充必要閾値以下になっていると判断したときに、余剰紙幣収納手段７０から紙幣を繰り出させて、当該紙幣を搬送手段２０で搬送させる（図６参照）。そして、識別手段５５で当該紙幣の金種が識別され、制御手段５０は、当該紙幣の金種が補充必要閾値以下と判断された紙幣の金種である場合には当該紙幣を対応する金種別収納手段６０に収納させ、当該紙幣の金種が補充必要閾値以下と判断された金種でない場合には当該紙幣を一時保留手段９０に収納させる。なお、図６では、一番上側に位置する金種別収納手段６０で収納されている紙幣の量が補充必要閾値以下となり、当該金種別収納手段６０に紙幣が補充されている態様を示しているが、これはあくまでも一例であり、当然、上から２番目に位置する金種別収納手段６０に紙幣が補充されることもあれば、一番下側に位置する金種別収納手段６０に紙幣が補充されることもある。
【００３４】
本実施の形態の制御手段５０は、一つの態様として、オペレータから操作手段２や上位装置２００を通じて回収指令を受けたときに、余剰紙幣収納手段７０から紙幣を繰り出させて、当該紙幣を搬送手段２０で搬送させる。そして、識別手段５５で当該紙幣の金種が識別され、制御手段５０は、余剰紙幣収納手段７０から繰り出された紙幣のうち回収予定分の紙幣を回収カセット９５、出金口８１、回収用の取出口（図示せず）等の回収位置に収納させ、残りの紙幣を一時保留手段９０に収納させる（図７参照）。なお、図７に示す態様では、回収カセット９５で紙幣が回収されている態様を示している。ところで、このような態様に限られることはなく、識別手段５５で紙幣の金種が識別され、制御手段５０は、余剰紙幣収納手段７０から繰り出された紙幣のうち回収予定分の紙幣を回収カセット９５、出金口８１、回収用の取出口等の回収位置に収納させ、残りの紙幣の各々を対応する金種別収納手段６０に収納させてもよい（図８参照）。なお、図８では、各金種別収納手段６０に紙幣が補充されている態様を示しているが、収納されるべき金種別収納手段６０がフルやニヤフル状態である場合には、当該金種別収納手段６０に収納されるべき金種の紙幣は、一時保留手段９０に収納されることとなる。
【００３５】
本実施の形態の制御手段５０は、一つの態様として、オペレータから操作手段２や上位装置２００を通じて出金指令を受けたときに、金種別収納手段６０内の紙幣が不足している場合は、余剰紙幣収納手段７０から紙幣を繰り出させて、当該紙幣を搬送手段２０で搬送させるようにしてもよい。そして、識別手段５５で当該紙幣の金種が識別され、制御手段５０は、当該紙幣の金種が出金に必要な金種である場合には当該紙幣を出金口８１から出金させ、当該紙幣の金種が出金に不要な金種である場合には当該紙幣を一時保留手段９０に収納させる（図９参照）。また、このような態様に限られることはなく、識別手段５５で紙幣の金種が識別され、制御手段５０は、当該紙幣の金種が出金に必要な金種である場合には当該紙幣を出金口８１から出金させ、当該紙幣の金種が出金に不要な金種である場合には当該紙幣を対応する金種別収納手段６０に収納させてもよい（図１０参照）。なお、図１０では、各金種別収納手段６０に紙幣が補充されている態様を示しているが、収納されるべき金種別収納手段６０がフルやニヤフル状態である場合には、当該金種別収納手段６０に収納されるべき金種の紙幣は、一時保留手段９０に収納されるか、余剰紙幣収納手段７０に収納されることとなる。
【００３６】
一時保留手段９０に紙幣が収納されている場合において、本実施の形態の制御手段５０は、一つの態様として、一時保留手段９０に収納された紙幣を一時保留手段９０から繰り出させて、当該紙幣を搬送手段２０で搬送させ、識別手段５５で当該紙幣の金種が識別され、制御手段５０が識別された金種に基づいて当該紙幣を対応する金種別収納手段６０に収納させる（図１１参照）。
【００３７】
また、このような態様に限られることはなく、記憶手段５６が一時保留手段９０に収納された紙幣の金種及び順番を記憶している場合には、本実施の形態の制御手段５０は、記憶手段５６で記憶された金種及び順番に基づいて、一時保留手段９０から繰り出された紙幣を対応する金種別収納手段６０に収納させることもできる（図１２参照）。なお、図１２では識別手段５５を紙幣が通過しない態様を用いて説明しているが、これに限られることはなく、紙幣は識別手段５５を通過してもよい。但し、この場合であっても、識別手段５５によって通過する紙幣を識別する必要はない。
【００３８】
本実施の形態の制御手段５０は、一つの態様として、金種別収納手段６０から全ての紙幣を繰り出させて当該紙幣を搬送手段２０で搬送させ、識別手段５５が当該紙幣の金種及び枚数を識別し、かつ、制御手段５０が余剰紙幣収納手段７０から全ての紙幣を繰り出させて当該紙幣を搬送手段２０で搬送させ、識別手段５５が当該紙幣の金種及び枚数を識別することで、精査処理を行う。この場合、例えば、金種別収納手段６０及び余剰紙幣収納手段７０から繰り出された紙幣の全てを一時保留手段９０で一時的に収納させる（図１３（ａ）参照）。なお、一時保留手段９０がフル状態となった場合には、一時保留手段９０だけではなく入金部１０で紙幣を一時的に収納させる。そして、一時保留手段９０（及び入金部１０）から紙幣が繰り出されて、当該紙幣が搬送手段２０で金種別収納手段６０に搬送される（図１３（ｂ）参照）。その際に、識別手段５５が紙幣の金種及び枚数を識別する。なお、一時保留手段９０（及び入金部１０）から繰り出された紙幣の量が多く、全ての紙幣を金種別収納手段６０で収納することができない場合には、当該紙幣は余剰紙幣収納手段７０で収納されることとなる。ところで、上述のように一時保留手段９０（及び入金部１０）から紙幣が繰り出される際に紙幣の金種及び枚数を識別するのではなく、金種別収納手段６０及び余剰紙幣収納手段７０から全ての紙幣を繰り出して、当該紙幣を一時保留手段９０（及び入金部１０）に収納する際に、紙幣の金種及び枚数を識別してもよい。
【００３９】
本実施の形態の紙幣入出金機１００では、図２に示すように、入金部１０、周回搬送手段２１、出金部８０、出金リジェクト手段８５及び一時保留手段９０が筐体１内の上方位置に位置づけられ、これら入金部１０、周回搬送手段２１、出金部８０、出金リジェクト手段８５及び一時保留手段９０の下方位置に金種別収納手段６０、余剰紙幣収納手段７０及び回収カセット９５が設けられている。このため、入金部１０、周回搬送手段２１、出金部８０、出金リジェクト手段８５及び一時保留手段９０内に存在する紙幣を店舗等のユーザが管理し、金種別収納手段６０、余剰紙幣収納手段７０及び回収カセット９５内に存在する紙幣を警備会社が管理する運用が取られる場合には、当該管理領域と物理的な部材の位置とを合致させることができる。
【００４０】
すなわち、上述した運用が取られていることを前提とすると、店舗等のユーザが管理する入金部１０、周回搬送手段２１、出金部８０、出金リジェクト手段８５及び一時保留手段９０が筐体１内の上方位置に位置づけられ、警備会社が管理する金種別収納手段６０、余剰紙幣収納手段７０及び回収カセット９５が、入金部１０、周回搬送手段２１、出金部８０、出金リジェクト手段８５及び一時保留手段９０よりも下方に位置づけられる。このため、紙幣を入金したり収納したりする際における紙幣の仕分け等の作業を、物理的な境界（図２の参照）で区切って行うことができる。
【００４１】
《作用・効果》
次に、上述した構成からなる本実施の形態による作用・効果について説明する。
【００４２】
本実施の形態によれば、ある金種の金種別収納手段６０に収納されている紙幣の量が所定量に達しているときに（より具体的にはフルやニヤフル状態になっているときに）、当該金種別収納手段６０に収納されるべき紙幣を収納する余剰紙幣収納手段７０が設けられ、当該余剰紙幣収納手段７０は、収納された紙幣を繰り出し手段７５で搬送手段２０に繰り出すことができるようになっている。このため、余剰紙幣収納手段７０に収納された余剰紙幣を活用することができる。
【００４３】
すなわち、従来の紙幣入出金機における余剰紙幣収納手段では、紙幣を収納することのみができ、紙幣を繰り出すことができなかった。このため、余剰紙幣収納手段に収納された余剰紙幣を、金種別収納手段への補充紙幣等として用いることができず、活用できない紙幣（いわゆる死に金）が生じていた。これに対して、本実施の形態によれば、余剰紙幣収納手段７０は、金種別収納手段６０に収納されるべき紙幣を一時的に収納するためのもので、収納された紙幣を搬送手段２０に繰り出すことができるようになっている。このため、余剰紙幣収納手段７０に収納された余剰紙幣を、いわゆる死に金にせず、活用することができる。
【００４４】
とりわけ、本実施の形態では、余剰紙幣収納手段７０から繰り出される紙幣を金種別収納手段６０に収納させることができる（図５参照）。このため、余剰紙幣収納手段７０に収納された余剰紙幣を、金種別収納手段６０への補充紙幣として用いることができる。
【００４５】
〈余剰紙幣収納手段から自動補充〉
また、本実施の形態の制御手段５０は、ある金種別収納手段６０内に収納されている紙幣の量が補充必要閾値以下になっていると判断したときに、余剰紙幣収納手段７０から紙幣を繰り出させて、当該紙幣を搬送手段２０で搬送させることができる（図６参照）。この場合、識別手段５５が紙幣の金種を識別し、制御手段５０が、当該紙幣の金種が補充必要閾値以下と判断された紙幣の金種である場合には当該紙幣を対応する金種別収納手段６０に収納させ、当該紙幣の金種が補充必要閾値以下と判断された金種でない場合には当該紙幣を一時保留手段９０に収納させることとなる。
【００４６】
このような制御態様を制御手段５０がとる場合には、ある金種別収納手段６０で収納されている紙幣の量が補充必要閾値以下になったときに、当該金種別収納手段６０に余剰紙幣収納手段７０から繰り出された紙幣によって、自動で紙幣を補充することができる。
【００４７】
〈余剰紙幣収納手段から回収〉
また、本実施の形態の制御手段５０は、オペレータから操作手段２や上位装置２００を通じて回収指令を受けたときに、余剰紙幣収納手段７０から紙幣を繰り出させて、当該紙幣を搬送手段２０で搬送させることができる（図７参照）。この場合、識別手段５５が紙幣の金種を識別し、制御手段５０が余剰紙幣収納手段７０から繰り出された紙幣のうち回収予定分の紙幣を回収カセット９５、出金口８１、回収用の取出口等の回収位置に収納させ、残りの紙幣を一時保留手段９０に収納させることとなる。
【００４８】
このような制御態様を制御手段５０がとる場合には、余剰紙幣収納手段７０から回収に必要な紙幣のみを回収カセット９５、出金口８１、回収用の取出口等を通じて回収することができ、残りの紙幣を一時保留手段９０に収納させることができる。
【００４９】
また、上述のように一時保留手段９０に収納させるのではなく、識別手段５５が紙幣の金種を識別し、制御手段５０が余剰紙幣収納手段７０から繰り出された紙幣のうち回収予定分の紙幣を回収カセット９５、出金口８１、回収用の取出口等の回収位置に収納させ、残りの紙幣の各々を対応する金種別収納手段６０に収納させてもよい（図８参照）。
【００５０】
このような制御態様を制御手段５０がとる場合には、余剰紙幣収納手段７０から回収に必要な紙幣のみを回収カセット９５、出金口８１、回収用の取出口等を通じて回収することができ、残りの紙幣を金種別収納手段６０に直接収納させることができる。このため、一時保留手段９０から金種別収納手段６０に紙幣を搬送する工程を行う必要がなく、また、一時保留手段９０が設けられていない態様でも利用することができる。
【００５１】
〈余剰紙幣収納手段から出金〉
また、本実施の形態の制御手段５０は、オペレータから操作手段２や上位装置２００を通じて出金指令を受けたときに、余剰紙幣収納手段７０から紙幣を繰り出させて、当該紙幣を搬送手段２０で搬送させることができる（図９参照）。この場合、識別手段５５が紙幣の金種を識別し、制御手段５０が、当該紙幣の金種が出金に必要な金種である場合には当該紙幣を出金口８１から出金させ、当該紙幣の金種が出金に不要な金種である場合には当該紙幣を一時保留手段９０に収納させる。
【００５２】
このような制御態様を制御手段５０がとる場合には、余剰紙幣収納手段７０から出金に必要な紙幣を出金口８１を通じて出金することができ、余剰紙幣収納手段７０内の紙幣で出金処理を行うことができる。
【００５３】
また、上述のように一時保留手段９０に収納させるのではなく、識別手段５５が紙幣の金種を識別し、制御手段５０が、当該紙幣の金種が出金に必要な金種である場合には当該紙幣を出金口８１から出金させ、当該紙幣の金種が出金に不要な金種である場合には当該紙幣を対応する金種別収納手段６０に収納させてもよい（図１０参照）。
【００５４】
このような制御態様を制御手段５０がとる場合には、余剰紙幣収納手段７０から出金に必要な紙幣のみを出金口８１を通じて出金することができるだけでなく、出金に不要な金種の紙幣を金種別収納手段６０に直接収納させることができる。このため、出金処理だけでなく金種別収納手段６０への補充処理も行うことができる。なお、このような態様では、一時保留手段９０から金種別収納手段６０に紙幣を搬送する工程を行う必要がなく、また、一時保留手段９０が設けられていない態様でも利用することができる。
【００５５】
〈一時保留手段から金種別収納手段に補充〉
一時保留手段９０に紙幣が収納されている場合には、本実施の形態の制御手段５０は、以下のような制御を行うことができる。
【００５６】
すなわち、本実施の形態の制御手段５０は、一時保留手段９０に収納された紙幣を一時保留手段９０から繰り出させて、当該紙幣を搬送手段２０で搬送させ、識別手段５５で識別された金種に基づいて当該紙幣を対応する金種別収納手段６０に収納させることができる（図１１参照）。
【００５７】
このような制御態様を制御手段５０がとる場合には、一時保留手段９０に収納された紙幣の各々を対応する金種別収納手段６０に収納させることができる。
【００５８】
また、記憶手段５６が一時保留手段９０に収納された紙幣の金種及び順番を記憶している場合には、本実施の形態の制御手段５０は、記憶手段５６で記憶された金種及び順番に基づいて金種別収納手段６０に収納させることもできる（図１２参照）。
【００５９】
このような制御態様を制御手段５０がとる場合にも、やはり、一時保留手段９０に収納された紙幣の各々を対応する金種別収納手段６０に収納させることができる。
【００６０】
〈精査処理〉
また、本実施の形態の制御手段５０は、金種別収納手段６０及び余剰紙幣収納手段７０から全ての紙幣を繰り出して、識別手段５５で当該紙幣の金種及び枚数を識別することができる（図１３（ａ）（ｂ）参照）。
【００６１】
このような制御態様を制御手段５０がとる場合には、金種別収納手段６０及び余剰紙幣収納手段７０内に収納されている全ての紙幣の金種及び枚数を確認することができ、精査処理を行うことができる。なお、精査処理の結果は、例えば、筐体１に設けられた表示画面（図示せず）や上位装置２００の表示画面（図示せず）等で確認することができる。
【００６２】
ところで、上記では、入金部１０、周回搬送手段２１、出金部８０、出金リジェクト手段８５及び一時保留手段９０内に存在する紙幣を店舗等のユーザが管理し、金種別収納手段６０、余剰紙幣収納手段７０及び回収カセット９５内に存在する紙幣を警備会社が管理する運用が取られる場合を前提として、本実施の形態の構成によれば、店舗等のユーザが管理する部材と警備会社が管理する部材とを物理的な境界で区切ることができることについて説明した。
【００６３】
このように店舗等のユーザが管理する部材と警備会社が管理する部材とを物理的な境界で区切る上では、店舗等のユーザが管理する部材（本実施の形態では、入金部１０、周回搬送手段２１、出金部８０、出金リジェクト手段８５及び一時保留手段９０）と、警備会社が管理する部材（本実施の形態では、金種別収納手段６０、余剰紙幣収納手段７０及び回収カセット９５）とが、例えば上下方向で、物理的に分離されていればよく（図２の参照）、その他の構成を限定する必要はない。すなわち、このような態様を取る上では、上述したような制御態様を制御手段５０がとることは必ずしも必要ではないし、余剰紙幣収納手段７０が収納された紙幣を搬送手段２０に繰り出すことができるようになっていることも必ずしも必要ではない。
【００６４】
一例としては、店舗等のユーザが管理する入金部１０、周回搬送手段２１、出金部８０、出金リジェクト手段８５及び一時保留手段９０と、これら入金部１０、周回搬送手段２１、出金部８０、出金リジェクト手段８５及び一時保留手段９０の下方に位置づけられ、警備会社が管理する金種別収納手段６０、余剰紙幣収納手段７０及び回収カセット９５と、を備えた紙幣入出金機を用いることもできる。また、別の例としては、店舗等のユーザが管理する入金部１０、周回搬送手段２１及び出金部８０と、これら入金部１０、周回搬送手段２１及び出金部８０の下方に位置づけられ、警備会社が管理する金種別収納手段６０と、を備えた紙幣入出金機を用いることもできる。
【００６５】
〈回収カセットのロックの解錠〉
次に、売上入出金装置のカセット解錠機３００及び回収カセット９５の構成について説明する。
【００６６】
売り場の釣銭機６５０又はドロア６６０に紙幣及び／又は硬貨からなる釣銭準備金を補充する場合には、バックヤードにある売上入出金装置から釣銭準備金が出金されて、当該釣銭準備金が売り場の釣銭機６５０又はドロア６６０に補充される（図１参照）。
【００６７】
他方、売り場の釣銭機６５０又はドロア６６０から回収された紙幣及び／又は硬貨からなる売上金は、バックヤードにある売上入出金装置まで運ばれ、紙幣は紙幣入出金機１００に入金され、硬貨は硬貨入出金機２００に入金される。このうち、釣銭機６５０から回収された紙幣はロック部（図示せず）でロックされた回収カセット９５に収納されて運ばれる。ところで、ドロア６６０については、オペレータが手で硬貨及び紙幣の出し入れを行う。
【００６８】
図１４に示すように、カセット解錠機３００は、回収カセット９５を装填することができ、当該回収カセット９５を奧側に押し込むことができるスライドベース部３１０と、回収カセット９５の押し込みを規制したりその規制を解除したりすることができ、スライド可能なカバー部３２０と、回収カセット９５のロック部を解錠するためのロック解錠部３３０と、回収カセット９５の状態等の所定の情報を表示するＬＥＤ等からなる表示部３４０とを有している。
【００６９】
ロック解錠部３３０は、その内部にキー（図示せず）を有しており、回収カセット９５を奥側に押し込むことに連動してキーが回動されて、回収カセット９５のロック部のロックが解錠される。なお、ロック解錠部３３０は、キーを回動させるモータ部を有していてもよい。このようなモータ部を有する場合には、回収カセット９５のロック部に当該キーが差し込まれ、モータ部でキーが回動されることで、ロック部のロックが解錠されることとなる。
【００７０】
回収カセット９５は、短手方向であって水平方向に延在する揺動軸（図示せず）を有し、回収カセット９５の上方筐体部９５ａは下方筐体部９５ｂに対して当該揺動軸を中心に上下方向に揺動自在となっている（図１６（ｄ）参照）。なお、ロック部でロックされているときには、回収カセット９５の上方筐体部９５ａは下方筐体部９５ｂに対して揺動軸を中心として揺動することができないが、ロック部のロックが解錠されることで、上方筐体部９５ａが揺動軸を中心として上下方向に揺動することができる。そして、上方筐体部９５ａが上方に揺動されることで、回収カセット９５内に収容された紙幣を取り出すことができるようになる。
【００７１】
次に、回収カセット９５内に収容された紙幣を紙幣入出金機１００に入金する際の態様について説明する。
【００７２】
まず、オペレータが操作端末４００にＩＤカードを読み取らせるか操作端末４００からオペレータ番号を入力する（図１７のＳ１参照）。このことによって、オペレータが特定されるとともに操作が開始された時刻が特定される。そして、いつ、誰が回収カセット９５のロック部のロックを解錠したのかという操作ログが、カセット解錠機３００や操作端末４００等で記録されるようになっている。
【００７３】
次に、紙幣を回収したＰＯＳレジスタ６００の番号を入力することを促す画面が操作端末４００に表示される。そして、このような表示を見たオペレータが、操作端末４００（図１参照）から紙幣を回収したＰＯＳレジスタ６００の番号を入力するか、操作端末４００で紙幣を回収したＰＯＳレジスタ６００のレジカードを読み取る（図１７のＳ２参照）。なお、このような入力又は読み取りが行われると、表示部３４０には例えば「待機中」という文字が表示される。この際、回収カセット９５をスライドベース部３１０に設置することもできるが（図１６（ａ）（ｂ）参照）、カバー部３２０の押し込みはまだ規制されており、回収カセット９５を奥側に押し込むことはできない。
【００７４】
次に、オペレータが操作端末４００で入金操作を選択する（図１７のＳ３参照）。このことで、カバー部３２０の規制が解除され（図１７のＳ４参照）、回収カセット９５を奥側に押し込むことができるようになる。この際、表示部３４０には例えば「解錠許可」という文字が表示される。
【００７５】
次に、オペレータがスライドベース部３１０に設置された回収カセット９５を奧側に押し込む（図１６（ｃ）及び図１７のＳ５参照）。このことで、回収カセット９５のロック部にキーが差し込まれる。そして、このように回収カセット９５が押し込まれることに連動して、キーが回動されて、ロック部のロックが解錠される。この結果、オペレータは、上方筐体部９５ａを下方筐体部９５ｂに対して上方に揺動し、回収カセット９５内に収容された紙幣を取り出すことができる（図１６（ｄ）及び図１７のＳ５参照）。なお、回収カセット９５が奧側に押し込まれてロック部のロックが解錠されると、表示部３４０には例えば「解錠中」という文字が表示される。
【００７６】
次に、オペレータが回収カセット９５から取り出した紙幣を入金部１０に載置し、紙幣入出金機１００で当該紙幣が計数され（図１７のＳ６参照）、回収した紙幣の金額に関する情報（回収金額情報）が紙幣入出金機１００で取得される（図１７のＳ７参照）。なお、紙幣が取り出された回収カセット９５は、後述する入金確定処理が行われる前に、カセット解錠機３００から取り外されることとなる。そして、このように回収カセットが取り外されると、カバー部３２０が手前側に移動して待機状態に戻る。
【００７７】
そして、紙幣入出金機１００で計数された紙幣の合計金額と、釣銭機６５０から回収された紙幣の合計金額が一致した場合には、操作端末４００を介して入金確定処理が行われ（図１７のＳ１０参照）、操作端末４００から終了指示が入力される（図１７のＳ１１参照）。この結果、カバー部３２０がロックされ（図１７のＳ１１参照）、回収カセット９５を奥側に押し込むことが規制される。他方、紙幣入出金機１００で計数された紙幣の合計金額と紙幣の回収された釣銭機６５０内の紙幣の合計金額とが一致しない場合には、「異常処理」として判断される（図１７のＳ１５参照）。なお、釣銭機６５０から回収された紙幣の合計金額に関する情報は、例えば、釣銭機６５０から通信によって取得することができる。また、これに限られることはなく、回収カセット９５にＩＣチップが設けられている態様では、当該ＩＣチップに釣銭機６５０から回収された紙幣の合計金額に関する情報が記憶され、当該ＩＣチップから当該情報を取得することもできる。
【００７８】
従来であれば、専任の管理者が回収カセット９５のキーを持ってバックヤードに待機しており、紙幣入出金機１００に売上金の紙幣を入金する際には、当該管理者がキーで回収カセット９５のロック部のロックを解錠していた。このため、管理者がバックヤードに常駐する必要があったり、管理者が離れている間は回収処理を実行できなかったりしており、作業効率が悪いものになっていた。この点、専任の管理者を常駐させずにキーを所定の場所に置いておくことも考えられるが、このようなキーを置いておくことはセキュリティ上好ましくなかった。
【００７９】
本実施の形態によれば、回収カセット９５のロック部のロックを解錠するキーは、カセット解錠機３００内に保管されるとともに、「開始操作」によってオペレータが確認されることを条件に利用可能となっている。このため、従来のような管理者を設けることなく、キーを適切に管理することができ、また、必要なときに回収カセット９５のロック部のロックを解錠することができる。
【００８０】
また、本実施の形態では、回収カセット９５のロック部のロックを解錠した際には、いつ、誰が回収カセット９５のロック部のロックを解錠したのかという操作ログが、カセット解錠機３００や操作端末４００等で記録されるようになっている。このため、後から操作ログをチェックすることができる。なお、記録された操作ログは、図示しないプリンタで印刷したり、管理装置５００にデータを出力したりすることができるようになっている。
【００８１】
なお、上述した態様とは異なり、例えば回収カセット９５にＩＣタグが設けられ、カセット解錠機３００にＩＣタグリーダが設けられてもよい。このような態様では、ＩＣタグに、紙幣の回収されたＰＯＳレジスタ６００の番号や、回収カセット９５に収納されている紙幣の金種又は金額が記憶されており、カセット解錠機３００でロック部のロックを解錠する際に、ＩＣタグリーダがこれらの情報を読み取ることができる。
【００８２】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００８３】
１        筐体
１０      入金部
１１      入金口
１５      取込手段
２０      搬送手段
５０      制御手段
５５      識別手段
５６      記憶手段
６０      金種別収納手段
７０      余剰紙幣収納手段
８０      出金部
８１      出金口
９０      一時保留手段
９５      回収カセット
１００    紙幣入出金機
【図１】
2014010489.tif 000003
【図２】
2014010489.tif 000004
【図３】
2014010489.tif 000005
【図４】
2014010489.tif 000006
【図５】
2014010489.tif 000007
【図６】
2014010489.tif 000008
【図７】
2014010489.tif 000009
【図８】
2014010489.tif 000010
【図９】
2014010489.tif 000011
【図１０】
2014010489.tif 000012
【図１１】
2014010489.tif 000013
【図１２】
2014010489.tif 000014
【図１３】
2014010489.tif 000015
【図１４】
2014010489.tif 000016
【図１５】
2014010489.tif 000017
【図１６】
2014010489.tif 000018
【図１７】
2014010489.tif 000019